(57)【要約】【課題】空調装置を搭載している建設機械のキャブの組立作業時間の短縮と部品点数の削減およびキャブ内のスペースの拡大化を図ることを目的とする。【解決手段】下面に開口部を有するキャブボックス１をフロアプレート２上に搭載してなる建設機械のキャブにおいて、キャブボックス１内壁面に空調装置本体７と該空調装置本体７の吹出し口８、８に連通せる吹出し用ダクト５、５を設置していること、さらに、キャブボックス１の壁面に設けた外気吸込口６に空調装置本体７の外気吸込口９が密着連通されている構造としたことによりキャブの組立作業に際し、従来のようにフロアプレート上に設置されている空調機本体に吹出し用ダクト及び外気吸込口とを夫々連結する作業が省略でき、さらに、上記連結のための蛇腹状ダクト等の部品が不要となり作業時間の短縮、部品点数を削減できた。【選択図】    図１
2004161091.tif 000002
【特許請求の範囲】
【請求項１】
下面に開口部を有するキャブボックスをフロアプレート上に搭載してなる建設機械のキャブにおいて、キャブボックス内壁面に空調装置本体と該空調装置本体の吹出し口に連通せる吹出し用ダクトを設置したことを特徴とする建設機械のキャブ空調装置。
【請求項２】
キャブボックスの内壁に設けた外気吸込口に空調装置本体の外気吸込口が密着連通されていることを特徴とする請求項１記載の建設機械のキャブ空調装置。
【発明の詳細な説明】
【０００１】
【発明の属する技術分野】
本発明は図７に示す油圧ショベル等建設機械のキャブＣ内に設置される空調装置に関する。
【０００２】
【従来の技術】
従来から油圧ショベル等の建設機械のキャブは、運転席、コンソール、操作レバー、空調装置等が床面上に既に設置されているフロアプレートにキャブボックスを後から掩蔽固着する構造としている。（特開平５−７９０５８号公報、特開平１１−２１９５１号公報参照。）
【０００３】
上記構造のキャブにおいては、従来、空調装置へ外気を取り込む場合、キャブボックス壁面に開口部を設け、該開口部に弾性材からなる導管部材を装着し、導管部材の一端部を空調装置の外気吸込口へ接続し、他端部を外気導入部材へ連通させる構造としている。（特開平８−１８３３２３号公報参照。）
【０００４】
また、図４〜図６に示される空調装置にあっては、キャブボックス１の側壁内面３又は該側壁内面に装着されているパネル４裏面に吹出し用ダクト５、５を取り付けており、該ダクト５、５の先端開口部はキャブボックス１内の適所に配置し、さらに、前記キャブボックス１の後壁面には外気取入口６をそれぞれ設置しておき、キャブボックス１をフロアプレート２に載置したとき空調装置本体７の吹出し口８、８と吹出し用ダクト５、５の基部を伸縮性のある蛇腹状ダクト１０、１０及び固定具１１、１１を介して連結するとともに、空調装置本体７の外気吸込口９と外気取入口６とを伸縮性のある蛇腹状ダクト１０及び固定具１１を介してそれぞれ連結している。なお、１２は操作レバー、１３はコンソールである。
【０００５】
上記構造のキャブでは、空調装置が床面上に設置されている関係で、キャブボックスをフロアプレートに載置した後でキャブボックスの外気取入口と空調装置の外気吸込口とを導管部材で連結し、キャブボックス側に設置した吹出し用ダクトの基部を空調装置の吹出し口に蛇腹状のダクトを介して連結していたためにキャブの組立作業に余計な時間と労力を要していた。
【０００６】
【発明が解決しようとする課題】
本発明はキャブの組立作業時間の短縮と部品点数の削減を提供するとともに、キャブ内のスペースの拡大化を図ることを目的とする。
【０００７】
【課題を解決するための手段】
本発明は、下面に開口部を有するキャブボックス１をフロアプレート２上に搭載してなる建設機械のキャブＣにおいて、キャブボックス１内壁面に空調装置本体７と該空調装置本体７の吹出し口８、８に連通せる吹出し用ダクト５、５を設置していることを特徴とする。
さらに、キャブボックス１の壁面に設けた外気吸込口６に空調装置本体７の外気吸込口９が密着連通されていることを特徴とする。
【０００８】
【発明の実施の形態】
本発明にかかるキャブ空調装置の実施形態について図１ないし図３を参照して説明する。なお、図中同一部品には同一符号を付し説明の重複を省略する。
図１はキャブボックス１をフロアプレート２へ載置しようとしている状態の側面図で、キャブボックス内の説明図。図２はキャブボックス１をフロアプレート２へ載置しようとしている状態のキャブボックス１の中央部における縦断正面図。図３はキャブ空調装置の斜視図である。
【０００９】
本発明にかかるキャブ空調装置の特徴は図１〜図３に示すように下面に開口部を有するキャブボックス１の内壁面（図示のものは後部内壁面であるが側壁面でもよい））に空調装置本体７をボルト付１４等により設置し、空調装置本体７の吹出し口８、８に吹出し用ダクト５、５の基部を連結しており、空調装置本体７の外気吸込口９をキャブボックス１の壁面に設けた外気吸込口６に密着連通させた構造としている。なお、吹出し用ダクトの先端部は従来装置と同様にキャブボックス内壁面３又はパネル４に設置されている冷気或いは暖気吹出し口５’、５’に連通されている。したがって、キャブボックス１に空調装置一式が設置された構造となっている。
【００１０】
キャブの組立に際し、空調装置一式が設置されているキャブボックス１をフロアプレート２へ上方から降下させてフロアプレート２上にボルト付１５される。
したがって、従来のようにキャブボックス１をフロアプレート２上に載置した後で空調装置本体７の外気吸込口９とキャブボックス１の壁面に設けた外気吸込口６とを蛇腹状ダクト１０で連結する作業及び、空調装置本体７の吹出し口８、８と吹出し用ダクト５、５の基部を蛇腹状ダクト１０、１０及び固定具１１、１１を介して連結する作業が省略される。
【００１１】
【発明の効果】
本発明は、空調装置一式をキャブボックスに予め設置する構造としたためキャブの組立作業の際に空調機本体と吹出し用ダクト及び外気吸込口とを夫々連結する作業が省略でき、さらに、上記連結のための蛇腹状ダクト及び固定具が不要となるため作業時間の短縮、部品点数の削減となりコストダウンに寄与するものである。また、従来のように運転席やコンソールが配置されている狭いキャブ内で空調機本体と吹出し用ダクト等との連結作業を行なわないので該作業のために必要としていたスペースが不要となりキャブ内のスペースを有効に利用できるという効果をも奏する。
【図面の簡単な説明】
【図１】本発明にかかる建設機械のキャブボックスをフロアプレートへ載置しようとしている状態のキャブ側面図。
【図２】本発明にかかるキャブボックスをフロアプレートへ載置しようとしている状態のキャブボックスの中央部における縦断正面図。
【図３】本発明にかかるキャブ空調装置の斜視図。
【図４】従来の建設機械のキャブボックスをフロアプレートへ載置しようとしている状態のキャブ側面図。
【図５】従来の建設機械のキャブボックスをフロアプレートへ載置した状態のキャブ内側面図。
【図６】従来の建設機械のキャブボックスをフロアプレートへ載置した状態のキャブ空調装置の正面図。
【図７】従来の油圧ショベルの斜視図。
【符号の説明】
１    キャブボックス          ８    吹出し口
２    フロアプレート          ９    空調装置本体外気吸込口
３    キャブボックス壁面    １０    蛇腹状ダクト
４    パネル                  １１    固定具
５    吹出し用ダクト        １２    操作レバー
５’  空気吹出し口          １３    コンソール
６    外気吸込口      １４、１５    ボルト付
７    空調装置本体            Ｃ    キャブ
【図１】
2004161091.tif 000003
【図２】
2004161091.tif 000004
【図３】
2004161091.tif 000005
【図４】
2004161091.tif 000006
【図５】
2004161091.tif 000007
【図６】
2004161091.tif 000008
【図７】
2004161091.tif 000009